(57)【特許請求の範囲】
【請求項１】
電動送風機などを内蔵するモーター室と、前方には紙袋などを装着するとともにホースを接続する吸気口を形設した集塵室を有する本体と、前記本体の後方両側面に前後方向に回転自在に取着したローラーと、前記本体の底面の前部に形設した下方への突出体の先端部に設けた返り止めと、凹部を設けた軸体とを備え、前記返り止めと前記軸体に設けた凹部との嵌着によって、前記突出体と前記軸体を固定し、前記軸体に回転自在に取着したキャスターローラーを設けた電気掃除機。
【発明の詳細な説明】
【０００１】
【産業上の利用分野】
本発明は、家庭用および産業用の電気掃除機に関するものである。
【０００２】
【従来の技術】
従来のこの種の電気掃除機の構成について、図面を参照しながら説明する。図５に示すように、本体５１は、モーター５２などを内蔵し、前方には紙袋５４を備えて吸気口５６に接続したホース内を通じて集塵する集塵室５５などで構成され、集塵室５５の上方には上方に開閉自在に蓋体６２が配設され、後方の両側面には前後方向に回転するようにローラー５３が取り付けられている。また集塵室５５部分の底面には床面方向に突出した取付軸５７に、キャスターローラー６０を軸６１で回転自在に備えたキャスターカバー５９が取付軸５７の先端部６５とキャスターカバー５９の保持部６４とで回転自在に取り付けられている。
【０００３】
この構成により、使用者が掃除中にホースを介して本体５１を引っ張る際に、前方のキャスターローラー６０を有するキャスターカバー５９が取付軸５７を中心に自在に回転して使用者の引っ張る方向に追従するものである。図中の６３は本体５１の前部底面を示す。
【０００４】
【発明が解決しようとする課題】
しかし、このような構造のものでは、取付軸５７の高さは付け根部分の強度確保、また取付軸５７の外径を均一に形成しながら樹脂などによって成形するために限界を有していることから、本体５１の前部底面６３が家屋の敷居などに当たる事なく乗り越えができるほど高位置に設けることができない。すなわち、敷居などの乗り越え時に家屋に傷を付けたりする使用性の悪いものであった。
【０００５】
本発明は、このような従来の問題点を解決するもので、住宅の構造の時代変化に即応してバリエーションを得られやすくするとともに、敷居などの乗り越え時に家屋に傷を付けたりすることのない使用性を良好にすることを第１の目的とするものである。また、第２の目的は安価に前記第１の目的を達成することである。
【０００６】
【課題を解決するための手段】
前記第１、第２の目的を達成するために、本発明の電気掃除機は本体底面の前部には下方への突出体に固定された軸体を介してキャスターローラーを回転自在に取着して設けると共に、前記本体底面の突出体の先端部には返り止めを設け、前記軸体に設けた凹部との嵌着によって、前記突出体と軸体を固定するものである。
【０００７】
【作用】
上記構成により、本体の前部の底面高さに、住宅の構造の時代変化に即応してバリエーションを得られやすくするとともに、敷居などの乗り越え時に家屋に傷を付けたりすることのない使用性を良好にできるものである。
【０００８】
また、嵌合によって本体底面の突出体と軸体を固定することによって安価に組立てられるものである。
【０００９】
【実施例】
（実施例１）
以下、本発明の一実施例を添付図面に基づいて説明する。
【００１０】
図１に示すように本体１は、電動送風機などを内蔵したモーター室２と、前方には紙袋４を備えて吸気口６に接続したホース内を通じて集塵する集塵室５などで構成され、集塵室５の上方には上方に開閉自在に蓋体２３が設けられ、後方の両側面には前後方向に回転するようにローラー３が取り付けられている。また集塵室５部分の底面には床面方向に突出した円筒状の取付軸Ａ７に、円筒状の取付軸Ｂ８がねじ１２によって固定されており、さらにキャスターローラー１０を軸１１で回転自在に備えたキャスターカバー９が取付軸Ｂ８の先端の引っ掛かりつめ部２１とキャスターカバー９の保持部２２とで回転自在に取り付けられている。図中の１３は本体１の前部底面、１４はキャスターカバー９の反り部分を示す。
【００１１】
この構成により、使用者が掃除中にホースを介して本体１を引っ張る際に、前方のキャスターローラー１０を有するキャスターカバー９が取付軸Ｂ８を中心に自在に回転して使用者の引っ張る方向に追従するものである。
【００１２】
上記構成における作用は次のようになるものである。
【００１３】
高さの異なった取付軸Ｂ８を取り付けることによって本体１の前部底面１３の高さに、住宅の構造の時代変化に即応してバリエーションを得られやすくすることができ、敷居などの乗り越え時に本体１の前部底面１３が敷居に衝突し、傷を付けたりすることがなくキャスターカバー９の反り部分１４によってスムーズに乗り越しができ、使用性を良好にできるものである。
【００１４】
（実施例２）
以下本発明の第２の実施例について説明する。図２に示すように、本実施例の特徴とするところは、前述実施例１の構成に、取付軸Ａ７の先端に形設した掛かり爪１５が引っ掛かる横方向の穴１６を取付軸Ｂ８に設け、両者を嵌合によって固定するものである。
【００１５】
この構成により、前述実施例１のねじ１２を必要とせず、安価に実現できるものである。
【００１６】
（実施例３）
以下本発明の第３の実施例について説明する。図３に示すように、本実施例の特徴とするところは、前述実施例１の構成に、キャスターカバー９と取付軸Ｂ８と取付軸Ａ７とに渡って軸嵌合する軸部分１８と、取付軸Ｂ８、取付軸Ａ７との間にポリアセタール等の樹脂からなる筒状の軸カバー１７を設けるものである。
【００１７】
これにより、取付軸Ｂ８と取付軸Ａ７の嵌合を強固にするとともに、磨耗などに対する耐久性を向上することができるものである。
【００１８】
（実施例４）
以下本発明の第４の実施例について説明する。図４に示すように、本実施例の特徴とするところは、前述実施例１の構成に、取付軸Ｂ８の軸中心１９を床面に対して垂直となるように、取付軸Ｂ８の端面２０に傾斜を設ける構成とした点である。
【００１９】
これにより、取付軸Ｂ８に対するこじり力を減少するとともに、軸中心１９を中心としたキャスターカバー９の回転性を良好にするものである。
【００２０】
なお、取付軸Ｂ８を軟質エラストマー等の材料によって形成するものである。これにより、敷居などの乗り越し時の衝撃を緩和するとともに、敷居への傷付けを防止することができるものである。また、走行時の騒音を低減することができるものである。
【００２１】
【発明の効果】
以上の説明からも明らかなように本発明によれば、住宅の構造の時代変化に即応してバリエーションを得られやすくするとともに、敷居などの乗り越え時に家屋に傷を付けたりすることがなく、使用性を良好にでき、また前記内容を、安価に達成することができるものである。
【図面の簡単な説明】
【図１】  本発明の実施例１の電気掃除機の一部を欠載して断面を示した側面図
【図２】  本発明の実施例２の電気掃除機の一部を欠載して断面を示した側面図
【図３】  本発明の実施例３の電気掃除機の一部を欠載して断面を示した側面図
【図４】  本発明の実施例４の電気掃除機の一部を欠載して断面を示した側面図
【図５】  従来例の電気掃除機の一部を欠載して断面を示した側面図
【符号の説明】
１  本体
２  モーター室
３  ローラー
５  集塵室
６  吸気口
７  取付軸Ａ（突出体）
８  取付軸Ｂ（円筒状軸体）
１０  キャスターローラー
１２  ねじ
【図１】
0003744008.tif 000002
【図２】
0003744008.tif 000003
【図３】
0003744008.tif 000004
【図４】
0003744008.tif 000005
【図５】
0003744008.tif 000006